(57)【特許請求の範囲】
【請求項１】
Ｅ−ＵＴＲＡＮ用のマスターｅＮＢ（ＭｅＮＢ）などの、デュアルコネクティビティ動作のためのマスターＲＡＮノードと称されるＲＡＮノードであって、
−  Ｅ−ＵＴＲＡＮ用のセカンダリｅＮＢ（ＳｅＮＢ）などの、前記デュアルコネクティビティ動作のためのセカンダリＲＡＮノードと称されるＲＡＮノードに対して、前記マスターＲＡＮノードと並置されたローカルゲートウェイＬＧＷに関与するベアラを前記セカンダリＲＡＮノードにオフロードするために、前記セカンダリＲＡＮノードによってアップリンクトラフィックを前記ＬＧＷへ送ることを可能にする前記ローカルゲートウェイＬＧＷのアドレス指定情報をシグナリングする
ように構成されたＲＡＮノード。
【請求項２】
Ｅ−ＵＴＲＡＮ用のセカンダリｅＮＢ（ＳｅＮＢ）などの、デュアルコネクティビティ動作のためのセカンダリＲＡＮノードと称されるＲＡＮノードであって、
−  前記マスターＲＡＮノードと並置されたローカルゲートウェイＬＧＷに関与するベアラを、前記セカンダリＲＡＮノードにオフロードするために、Ｅ−ＵＴＲＡＮ用のマスターｅＮＢ（ＭｅＮＢ）などの、前記デュアルコネクティビティ動作のためのマスターＲＡＮノードと称されるＲＡＮノードによってシグナリングされたアドレス指定情報を使用するように構成されており、前記ＬＧＷの前記アドレス指定情報が前記セカンダリＲＡＮノードによってアップリンクトラフィックを前記ＬＧＷへ送ることを可能にする、
ＲＡＮノード。
【請求項３】
−  前記アドレス指定情報が、ＬＧＷトランスポート層アドレスおよびアップリンクＴＥＩＤまたはＰＤＮ接続のポート番号を含む、
請求項１または２に記載のＲＡＮノード。
【請求項４】
−  前記シグナリングが、前記デュアルコネクティビティ動作に関与する前記マスターＲＡＮノードと前記セカンダリＲＡＮノードの間でインタフェースで送信されるメッセージに含まれる、
請求項１から３のいずれか一項に記載のＲＡＮノード。
【請求項５】
−  前記シグナリングが、Ｘ２インタフェースなどのインタフェースを介して、前記ＭｅＮＢによって前記ＳｅＮＢに送信されるＳｅＮＢ追加リクエストメッセージに含まれる、
請求項１から４のいずれか一項に記載のＲＡＮノード。
【請求項６】
−  前記シグナリングが、前記ＭｅＮＢがＳ１メッセージのＥ−ＲＡＢ修正確認を受信した後、前記ＭｅＮＢによって前記ＳｅＮＢに送信されるＸ２メッセージに含まれる、
請求項１から４のいずれか一項に記載のＲＡＮノード。
【請求項７】
Ｅ−ＵＴＲＡＮ用のマスターｅＮＢ（ＭｅＮＢ）などの、デュアルコネクティビティ動作のためのマスターＲＡＮノードと称されるＲＡＮノードであって、
−  前記マスターＲＡＮノードと並置されたローカルゲートウェイＬＧＷに関与するベアラを、Ｅ−ＵＴＲＡＮ用のセカンダリｅＮＢ（ＳｅＮＢ）などの、前記デュアルコネクティビティ動作のためのセカンダリＲＡＮノードにオフロードするために、前記ＬＧＷによってダウンリンクトラフィックを前記セカンダリＲＡＮノードへ送ることを可能にする前記セカンダリＲＡＮノードのアドレス指定情報により、前記マスターＲＡＮノードと並置された前記ローカルゲートウェイＬＧＷを構成するように構成された
ＲＡＮノード。
【請求項８】
−  前記セカンダリＲＡＮノードによって前記マスターＲＡＮノードにシグナリングされた前記アドレス指定情報を受信すると、前記構成を行うように構成された、
請求項７に記載のＲＡＮノード。
【請求項９】
−  前記アドレス指定情報が、セカンダリＲＡＮトランスポート層アドレスおよびＲＡＮダウンリンクＴＥＩＤまたはＰＤＮ接続用のポート番号を含む、
請求項７または８に記載のＲＡＮノード。
【請求項１０】
アドレス指定情報が、Ｘ２インタフェースなどのインタフェースを介して前記ＳｅＮＢによって前記ＭｅＮＢに送信されるＳｅＮＢ追加レスポンスメッセージに含まれる、請求項７から９に記載のＲＡＮノード。
【請求項１１】
−  前記ベアラが、ＬＩＰＡ動作中のべアラ、またはローカルネットワークの並置された動作での、ＳＩＰＴＯ中のべアラを含む、
請求項１から１０のいずれか一項に記載のＲＡＮノード。
【請求項１２】
Ｅ−ＵＴＲＡＮ用のマスターｅＮＢ（ＭｅＮＢ）などの、デュアルコネクティビティ動作のためのマスターＲＡＮノードと称されるＲＡＮノードと並置されたローカルゲートウェイＬＧＷであって、
−  Ｅ−ＵＴＲＡＮ用のセカンダリｅＮＢ（ＳｅＮＢ）などの、前記デュアルコネクティビティ動作のためのセカンダリＲＡＮノードに、前記マスターＲＡＮノードと並置された前記ローカルゲートウェイＬＧＷに関与するベアラをオフロードするために、前記マスターＲＡＮノードによって構成されたアドレス指定情報を使用するように構成されており、前記セカンダリＲＡＮノードの前記アドレス指定情報が前記ローカルゲートウェイＬＧＷによってダウンリンクトラフィックを前記セカンダリＲＡＮノードへ送ることを可能にする、
ローカルゲートウェイＬＧＷ。
【請求項１３】
−  前記アドレス指定情報が、セカンダリＲＡＮトランスポート層アドレスおよびＲＡＮダウンリンクＴＥＩＤまたはＰＤＮ接続のポート番号を含む、
請求項１２に記載のローカルゲートウェイ。
【請求項１４】
−  前記ベアラが、ＬＩＰＡ動作中のべアラ、またはローカルネットワークの並置された動作での、ＳＩＰＴＯ中のべアラを含む、
請求項１２または１３に記載のローカルゲートウェイ。
【請求項１５】
デュアルコネクティビティ動作で、Ｅ−ＵＴＲＡＮ用のマスターｅＮＢ（ＭｅＮＢ）などのマスターＲＡＮノードと称されるＲＡＮノードからＥ−ＵＴＲＡＮ用のセカンダリｅＮＢ（ＳｅＮＢ）などのセカンダリＲＡＮノードと称されるＲＡＮノードにベアラをオフロードする方法であって、前記オフロードの前、前記ベアラは、前記マスターＲＡＮノードによって扱われるまたは扱われていており、前記マスターＲＡＮノードと並置されたローカルゲートウェイＬＧＷに関与しており、
−  前記オフロードの後、前記ベアラが、前記セカンダリＲＡＮノードによって扱われ、前記マスターＲＡＮノードと並置された前記ローカルゲートウェイＬＧＷに関与するように規定するステップを含む
方法。
【請求項１６】
−  前記マスターＲＡＮノードが、前記セカンダリＲＡＮノードによってアップリンクトラフィックを前記ＬＧＷに送るための前記ローカルゲートウェイＬＧＷのアドレス指定情報を、前記セカンダリＲＡＮノードにシグナリングするステップを含む、
請求項１５に記載の方法。
【請求項１７】
−  前記セカンダリＲＡＮノードが、アップリンクトラフィックを前記ローカルゲートウェイＬＧＷに送るために、前記マスターＲＡＮノードによってシグナリングされた前記ローカルゲートウェイのアドレス指定情報を使用するステップを含む、
請求項１５または１６に記載の方法。
【請求項１８】
−  前記マスターＲＡＮノードが、前記ＬＧＷによってダウンリンクトラフィックを前記セカンダリＲＡＮノードへ送ることを可能にする前記セカンダリＲＡＮノードのアドレス指定情報により前記ＬＧＷを構成するステップを含む、
請求項１５から１７のいずれか一項に記載の方法。
【請求項１９】
−  前記ＬＧＷが、ダウンリンクトラフィックを前記セカンダリＲＡＮノードに送るために、前記マスターＲＡＮノードによって構成されたアドレス指定情報を使用するステップを含む、
請求項１５から１８のいずれか一項に記載の方法。
【発明の詳細な説明】
【技術分野】
【０００１】
本発明は、一般に、モバイル通信ネットワークおよびシステムに関する。
【背景技術】
【０００２】
モバイル通信ネットワークおよびシステムの詳細な記述は、特に、たとえば３ＧＰＰ（３ｒｄ  Ｇｅｎｅｒａｔｉｏｎ  Ｐａｒｔｎｅｒｓｈｉｐ  Ｐｒｏｊｅｃｔ（第３世代パートナーシッププロジェクト））などの標準化団体によって公開された技術仕様書などの文献に見ることができる。
【０００３】
パケットモバイル通信システムの一例は、進化型パケットシステム（Ｅｖｏｌｖｅｄ  Ｐａｃｋｅｔ  Ｓｙｓｔｅｍ）ＥＰＳ（これは特に、３ＧＰＰ  ＴＳ  ２３．４０１で詳述される）である。
【０００４】
ＥＰＳネットワークは、Ｅ−ＵＴＲＡＮと呼ばれる無線アクセスネットワークＲＡＮによってアクセスされることができるＥＰＣと呼ばれる進化型パケットコア（Ｅｖｏｌｖｅｄ  Ｐａｃｋｅｔ  Ｃｏｒｅ）と呼ばれるコアネットワークＣＮを備える。
【０００５】
ユーザ機器（Ｕｓｅｒ  Ｅｑｕｉｐｍｅｎｔ）ＵＥは、パケットデータネットワーク（ｐａｃｋｅｔ  ｄａｔａ  ｎｅｔｗｏｒｋ）ＰＤＮ（またはＩＰネットワーク）に、ＰＤＮ接続（またはＩＰ接続）を提供するＥＰＳネットワークを介して、アクセスすることができる。ＰＤＮの例として、インターネット、イントラネット、事業者のＩＰネットワークなどが挙げられる。ＰＤＮ接続のトラフィックは、ＵＥとＰＤＮゲートウェイＰＧＷの間のトラフィックパスで、ネットワークノード（Ｅ−ＵＴＲＡＮノードｅＮＢなど）によって、ベアラレベルで扱われる。
【０００６】
ＰＤＮへの接続は、選択されたＰＤＮゲートウェイＰＧＷを介して提供される。ＰＧＷは、ＥＰＣに配置されることができる。場合によって、選択されたＰＧＷ（ローカルゲートウェイ（Ｌｏｃａｌ  Ｇａｔｅｗａｙ）ＬＧＷと呼ばれる）は、スタンドアローンノードとしてだが、ＲＡＮに配置されることもできる。しかし、他の場合、選択されたＰＧＷ（ローカルゲートウェイＬＧＷと呼ばれる）は、Ｅ−ＵＴＲＡＮノードｅＮＢと並置（ｃｏｌｌｏｃａｔｅ）されることができる。
【０００７】
たとえば、ローカルゲートウェイＬＧＷは、ＬＩＰＡ（Ｌｏｃａｌ  ＩＰ  Ａｃｃｅｓｓ（ローカルＩＰアクセス））のために選択される。この機能性は、特に、３ＧＰＰ  ＴＳ  ２３．４０１のセクション４．３．１６で詳述される。この機能性によって、ＨｅＮＢを介して接続されたＩＰ対応のＵＥが、ユーザプレーンがＨｅＮＢサブシステムを除くモバイル事業者のネットワークを横断することなしに、同一の住宅／企業のＩＰネットワークの他のＩＰ対応のエンティティにアクセスすることが可能になる。
【０００８】
ＨｅＮＢおよびＨｅＮＢのサブシステムのサポートは、特に、３ＧＰＰ  ＴＳ  ２３．４０１および３ＧＰＰ  ＴＳ  ３６．３００で詳述される。ＨｅＮＢは、Ｅ−ＵＴＲＡＮ無線インタフェースを介して、３ＧＰＰ  ＵＥをモバイル事業者のネットワークに、ブロードバンドＩＰバックホールを用いて接続する顧客宅内機器である。
【０００９】
別の例で、ローカルゲートウェイＬＧＷは、（Ｈ）ｅＮＢと並置されたＬ−ＧＷ機能を有するローカルネットワークでのＳＩＰＴＯ（Ｓｅｌｅｃｔｅｄ  ＩＰ  Ｔｒａｆｆｉｃ  Ｏｆｆｌｏａｄ（選択されたＩＰトラフィックオフロード））のために選択される。この機能性は、特に、３ＧＰＰ  ＴＳ  ２３．４０１のセクション４．３．１５ａ．３で詳述される。この機能性によって、（Ｈ）ｅＮＢを介して接続されたＩＰ対応のＵＥが、ユーザプレーンがモバイル事業者のネットワークを横断することなしに、定義されたＩＰネットワーク（たとえば、インターネット）にアクセスすることが可能になる。
【００１０】
したがって、ＬＩＰＡ、ならびに（Ｈ）ｅＮＢと並置されたＬ−ＧＷ機能を有するローカルネットワークでのＳＩＰＴＯなどの機能性は、ユーザおよび／またはネットワーク事業者に利益をもたらす。Ｌ−ＧＷは、ＰＧＷの機能をサポートするが、ＰＧＷの機能のすべてをサポートしなくてもよいことに留意しなければならない。
【００１１】
ＥＰＳ（上記で例として挙げられた）以外のシステム、たとえば、３ＧＰＰ  ＵＴＲＡＮベースのシステムおよび非３ＧＰＰベースのシステムに、同様の概念が存在しうる。
【００１２】
スモールセルエンハンスメントは、現在、特に３ＧＰＰによって標準化される過程にある。スモールセルエンハンスメントは、ＲＲＣ＿Ｃｏｎｎｅｃｔｅｄ状態で、非理想的バックホールに接続された少なくとも２つの異なるネットワークポイント（マスターｅＮＢおよびセカンダリｅＮＢ）によって提供される無線リソースを所与のＵＥが消費する動作として定義された（特に、３ＧＰＰ  ＴＲ  ３６．８４２で）デュアルコネクティビティの機能を特に含む。
【先行技術文献】
【非特許文献】
【００１３】
【非特許文献１】３ＧＰＰ  ＴＳ  ２３．４０１
【非特許文献２】３ＧＰＰ  ＴＳ  ３６．３００
【非特許文献３】３ＧＰＰ  ＴＲ  ３６．８４２
【発明の概要】
【発明が解決しようとする課題】
【００１４】
本発明者によって認識されるように、および後にさらなる詳細を記述するように、特に、ＬＩＰＡ、または（Ｈ）ｅＮＢと並置されたＬ−ＧＷ機能を有するローカルネットワークでのＳＩＰＴＯのためのそのようなデュアルコネクティビティの機能を向上させる必要があり、そうでないと、サービス品質は、たとえば、マスターｅＮＢからセカンダリｅＮＢにベアラをオフロードする際に、受け入れられない程度で、低下しうる。
【課題を解決するための手段】
【００１５】
本発明の実施形態は、特に、そのようなニーズに対応する。
【００１６】
これらのおよび他の目的は、一態様で、デュアルコネクティビティ動作で、Ｅ−ＵＴＲＡＮ用のマスターｅＮＢ（ＭｅＮＢ）などのマスターＲＡＮノードと称されるＲＡＮノードからＥ−ＵＴＲＡＮ用のセカンダリｅＮＢ（ＳｅＮＢ）などのセカンダリＲＡＮノードと称されるＲＡＮノードにベアラをオフロードする方法であって、前記オフロードの前、前記ベアラは、前記マスターＲＡＮノードによって扱われるまたは扱われていており、前記マスターＲＡＮノードと並置されたローカルゲートウェイＬＧＷに関与しており：
−  前記オフロードの後、前記ベアラが、前記セカンダリＲＡＮノードによって扱われ、前記マスターＲＡＮノードと並置された前記ローカルゲートウェイＬＧＷに関与するように規定するステップを含む方法によって達成される。
【００１７】
これらのおよび他の目的は、他の態様で、そのような方法および／またはそのような方法の個々のステップを行うエンティティによって達成される。前記エンティティは、特に（これらに限定されないが）：Ｅ−ＵＴＲＡＮ用のｅＮＢなどのＲＡＮノード、およびローカルＰＧＷの機能をサポートするローカルゲートウェイＬＧＷ（ＥＰＣコアに配備されたＰＧＷに関する制限された機能を場合により有する）を含む。
【００１８】
これらのおよび他の目的は、別の態様で、Ｅ−ＵＴＲＡＮ用のマスターｅＮＢ（ＭｅＮＢ）などの、デュアルコネクティビティ動作のためのマスターＲＡＮノードと称されるＲＡＮノードであって：
−  Ｅ−ＵＴＲＡＮ用のセカンダリｅＮＢ（ＳｅＮＢ）などの、前記デュアルコネクティビティ動作のためのセカンダリＲＡＮノードと称されるＲＡＮノードに対して、前記マスターＲＡＮノードと並置されたローカルゲートウェイＬＧＷに関与するベアラを前記セカンダリＲＡＮノードにオフロードするために、前記セカンダリＲＡＮノードによってアップリンクトラフィックを前記ＬＧＷへ送ることを可能にする前記ローカルゲートウェイＬＧＷのアドレス指定情報をシグナリングする
ように構成されたＲＡＮノードによって達成される。
【００１９】
これらのおよび他の目的は、別の態様で、Ｅ−ＵＴＲＡＮ用のセカンダリｅＮＢ（ＳｅＮＢ）などの、デュアルコネクティビティ動作のためのセカンダリＲＡＮノードと称されるＲＡＮノードであって：
−  前記マスターＲＡＮノードと並置されたローカルゲートウェイＬＧＷに関与するベアラを、前記セカンダリＲＡＮノードにオフロードするために、シグナリングされたアドレス指定情報を、Ｅ−ＵＴＲＡＮ用のマスターｅＮＢ（ＭｅＮＢ）などの、前記デュアルコネクティビティ動作のためのマスターＲＡＮノードと称されるＲＡＮノードによって、使用するように構成されており、前記ＬＧＷの前記アドレス指定情報が前記セカンダリＲＡＮノードによってアップリンクトラフィックを前記ＬＧＷへ送ることを可能にする、ＲＡＮノードによって達成される。
【００２０】
これらのおよび他の目的は、別の態様で、Ｅ−ＵＴＲＡＮ用のマスターｅＮＢ（ＭｅＮＢ）などの、デュアルコネクティビティ動作のためのマスターＲＡＮノードと称されるＲＡＮノードであって：
−  前記マスターＲＡＮノードと並置されたローカルゲートウェイＬＧＷに関与するまたは関与したベアラを、Ｅ−ＵＴＲＡＮ用のセカンダリｅＮＢ（ＳｅＮＢ）などの、前記デュアルコネクティビティ動作のためのセカンダリＲＡＮノードにオフロードするために、前記ＬＧＷによってダウンリンクトラフィックを前記セカンダリＲＡＮノードへ送ることを可能にする前記セカンダリＲＡＮノードのアドレス指定情報により、前記マスターＲＡＮノードと並置された前記ローカルゲートウェイＬＧＷを構成するように構成されたＲＡＮノードによって達成される。
【００２１】
これらのおよび他の目的は、別の態様で、Ｅ−ＵＴＲＡＮ用のマスターｅＮＢ（ＭｅＮＢ）などの、デュアルコネクティビティ動作のためのマスターＲＡＮノードと称されるＲＡＮノードと並置されたローカルゲートウェイＬＧＷであって：
−  Ｅ−ＵＴＲＡＮ用のセカンダリｅＮＢ（ＳｅＮＢ）などの、前記デュアルコネクティビティ動作のためのセカンダリＲＡＮノードに、前記マスターＲＡＮノードと並置された前記ローカルゲートウェイＬＧＷに関与するまたは関与したベアラをオフロードするために、前記マスターＲＡＮノードによって構成されたアドレス指定情報を使用するように構成されており、前記セカンダリＲＡＮノードの前記アドレス指定情報が前記ローカルゲートウェイＬＧＷによってダウンリンクトラフィックを前記セカンダリＲＡＮノードへ送ることを可能にする、ローカルゲートウェイＬＧＷによって達成される。
【００２２】
本発明の実施形態による装置および／または方法のいくつかの実施形態は、これから、ほんの一例として、添付図面を参照しながら記載される。
【図面の簡単な説明】
【００２３】
【図１】代替１Ａのアーキテクチャを想起するための図である。
【図２】代替１Ａのコールフローを想起するための図である。
【図３】本発明の実施形態によるベアラのオフロードを示す図である。
【図４】本発明の実施形態によるベアラのオフロードを示す図である。
【発明を実施するための形態】
【００２４】
これ以降記載される本発明の実施形態は、より詳細には、一例として、ＥＰＳ（４Ｇ）に適用する。しかし、本発明の実施形態は、そのように限定されるものではなく、たとえば、ＲＮＣおよびＮｏｄｅＢが並置されたＨＳＰＡ＋を備えた３ＧにもＨＮＢｓにも適用でき、または、５Ｇにも適用できることが理解されよう。
【００２５】
３ＧＰＰは、リリース１２で、Ｗｏｒｋ  Ｉｔｅｍ  Ｓｍａｌｌ  Ｃｅｌｌ  Ｅｎｈａｎｃｅｍｅｎｔ−Ｈｉｇｈｅｒ  Ｌａｙｅｒの一部として、デュアルコネクティビティの機能を標準化する過程にある。このＷｏｒｋ  Ｉｔｅｍは、ＵＥが同時に２つのＥＮＢ：
少なくともＵＥのシグナリング接続を制御するマスターＥＮＢ（ＭＥＮＢと呼ばれる）、
少なくともＵＥのベアラ（データプレーン）の１つをサポートするセカンダリＥＮＢ（ＳＥＮＢと呼ばれる）
により取り扱われるデュアルコネクティビティの機能を定義づけることを目的としている。
【００２６】
２つの特色は、３ＧＰＰ  ＴＲ  ３６．８４２（ＴＲは、デュアルコネクティビティの機能の、可能性のある解決法を定義している）で代替１Ａおよび代替３Ｃとして知られ、３ＧＰＰの標準化に向けて論じられている。
【００２７】
本発明の実施形態は、代替１Ａに着目する（本発明の実施形態によって解決されるＬＩＰＡ／並置された、ローカルネットワークでのＳＩＰＴＯの問題は、解決法１Ａのみに適用する）。本発明の実施形態は、ＵＥのべアラがＭＥＮＢの機能によって扱われない任意のデュアルコネクティビティスキーマに適用しうる。
【００２８】
代替１Ａで、ＵＥのべアラは、ＥＮＢの１つ（排他的にＭＥＮＢかＳＥＮＢのどちらかによるが、同時に両方によるものではない）によって完全に制御される。これは、ベアラに関連付けられた完全なプロトコルスタック（ＧＴＰ−ｕ終端、すなわちＳ１−Ｕ、ＰＤＣＰ、ＲＬＣ…物理層までの終端）が、単一のＥＮＢ（排他的にＭＥＮＢかＳＥＮＢのどちらか）によって完全に制御されることを意味する。
【００２９】
代替１Ａは、ダウンリンク方向を例にとって、図１（３ＧＰＰ  ＴＲ  ３６．８４２から得られた）に記述される（各色：青／緑は、異なるベアラに相当する）。
【００３０】
代替１Ａが使用されるとき、データベアラは、Ｘ２インタフェースを用いた図２（３ＧＰＰ  ＴＲ  ３６．８４２から得られた）で示すように、マスターｅＮＢ（ＭｅＮＢ）からセカンダリｅＮＢ（ＳｅＮＢ）へ、ＭｅＮＢとＳｅＮＢの間でのシグナリング交換を用いて「オフロード」されることができる。
【００３１】
図２で、ステップ１から６は、準備段階に相当し、ステップ７から１１は、実行段階に相当し、ステップ１２から１４は、コアネットワークの更新に相当する（コアネットワークは、ここで、ＳＥＮＢに移動した（もうＭＥＮＢには移動しない）ベアラに対応するダウンリンクフローを送信する必要があるので）。
【００３２】
しかし、もしこのべアラが、ＬＩＰＡ動作中またはローカルネットワークで、並置された動作のＳＩＰＴＯ（以下では、ＳＩＰＴＯ＠ＬＮ−Ｃと呼ばれる）中のベアラなら、そのべアラが、デュアルコネクティビティのためにオフロードされることができるかどうか、ＬＩＰＡ／ＳＩＰＴＯ＠ＬＮ−Ｃが続行することができるかどうか、どのようにそれを効率的に実現することができるか（特に、ＵＥに対するＩＰアドレスの損失、したがって、サービス停止を意味するローカルＰＧＷの変更を引き起こすことなく）、不明である。
【００３３】
目下のところ、ＬＩＰＡ／ＳＩＰＴＯ＠ＬＮ−Ｃ動作中のベアラは、データベアラを有するＲＡＮノードで並置されたそのＰＧＷの機能（ローカルＧＷ）を有さなければならない。したがって、データベアラが、ＭｅＮＢでＬＩＰＡ／ＳＩＰＴＯ＠ＬＮ−Ｃ動作中のとき、データベアラは、ＭｅＮＢでそのＬＧＷ機能を有し、データベアラが、デュアルコネクティビティの機能のためにＳｅＮＢにさらにオフロードされるとき、ＬＧＷ機能およびデータベアラは、異なるＲＡＮノードにあり、したがって、ＬＧＷ機能は、再配置される必要がある。これを達成する機構は、ネットワークが、ＵＥの再度の接続要求を含むＵＥに、ＰＤＮの切断を送信するというものである。同一の状況は、並置された場合のローカルネットワークでのＳＩＰＴＯに適用する。この解決法は、ＵＥとの多くのメッセージングを誘導し、一時的に、ユーザプレーン接続を途切れさせる。
【００３４】
アップリンク方向に関して、本発明の実施形態は、データベアラが、ＬＩＰＡ（それぞれ並置された、ローカルネットワークでのＳＩＰＴＯ）で動作されると、ＭｅＮＢでのＰＤＮ接続のためのＬＧＷ機能のアドレス指定情報（たとえば、ＵＬ  ＴＥＩＤまたはＰＤＮ接続に対応するポート番号を備えるＬＧＷアドレス）は、ベアラがデュアルコネクティビティの機能でオフロードされるとき、ＭｅＮＢによってＳｅＮＢに送信されることを提案する。この情報によって、ＳｅＮＢは、ＰＤＮ接続に関連するアップリンクデータを、ＭｅＮＢでの対応するＬＧＷポートに送ることが可能になる。
【００３５】
ダウンリンク方向に関して、ＰＤＮ接続のためのＳｅＮＢのアドレス（たとえば、ＤＬ  ＴＥＩＤまたはＰＤＮ接続のＲＡＮ部分に対応するポート番号を備えるＳｅＮＢアドレス）は、現在のところ、ＭｅＮＢが、ＥＰＣによるＤＬ  Ｓ１Ｕパスの切替えを可能にするために、Ｅ−ＲＡＢ修正指示メッセージ内でＥＰＣに示すことができるように、ベアラがデュアルコネクティビティの機能でオフロードされるときに、ＳｅＮＢによってＭｅＮＢに送信される。本発明の実施形態は、ＬＩＰＡベアラ（それぞれ並置された、ローカルネットワークでのＳＩＰＴＯ）の場合、ＭｅＮＢでのＬＧＷは、ＰＤＮ接続に関連するダウンリンクデータをＳｅＮＢの対応するポートに送るように、このダウンリンクアドレスおよびＤＬ  ＴＥＩＤまたはポート番号をさらに使用できることを提案する。
【００３６】
これがなされたとき、ＬＩＰＡ動作（それぞれ並置された、ローカルネットワークでのＳＩＰＴＯ）は、データベアラがＳｅＮＢで扱われる状態で、ＭｅＮＢに配置されたＬＧＷ機能により続行することができる。本発明の実施形態は、この目的で、ＵＥおよびコアネットワークとの余分のメッセージングを必要としない（基本的なデュアルコネクティビティの機能は、図１のステップ６に示すように、ＭＥＮＢがＵＥにシグナリングすることを必要とする）。ＬＩＰＡ動作（それぞれローカルネットワークで、並置された動作のＳＩＰＴＯ）は、関連付けられたＬＧＷが異なるノード（ＭｅＮＢ）に配置された状態で、ＳｅＮＢのデータベアラで続行し、これは、新規であり、ＴＲ  ３６．８４２のオプション１Ａでのデュアルコネクティビティの機能の特別な場合におけるＬＩＰＡ／ＳＩＰＴＯ＠ＬＮ−Ｃの概念をいくらか拡張している（先に記載した通り、通常、ＬＩＰＡ／ＳＩＰＴＯ＠ＬＮ−Ｃは、ＬＧＷがデータベアラと同一のノードにある状態で動作される）。
【００３７】
ＭｅＮＢとＳｅＮＢの間で情報を伝える種々のやり方がありうる。２つの例（解決法−１、解決法−２と呼ばれる）が、以下に記載される。
【００３８】
解決法−１（図３に示す）
一実施形態で、ＭｅＮＢが、ＳＥＮＢでオフロードされるベアラに関するＬＩＰＡ動作（それぞれ並置された、ローカルネットワークでのＳＩＰＴＯ）のためのＬＧＷ機能を有するなら、ＭｅＮＢは、ＬＩＰＡ／ＳＩＰＴＯ＠ＬＮ−ＣのＰＤＮ接続に使用されなければならないアップリンクＴＥＩＤに加えてＳｅＮＢ追加リクエストメッセージに、対応するＬＧＷトランスポート層アドレス（ＴＬＡ）ＩＥを含む。
【００３９】
一実施形態で、ＭｅＮＢが、ＭｅＮＢによって使用されてダウンリンクＳ１Ｕのパスの切替えのためにＥＰＣに示さなければならない（Ｅ−ＲＡＢ修正指示内で）ダウンリンクＴＥＩＤに加えて、ＳｅＮＢ追加レスポンスメッセージ内のＳｅＮＢトランスポート層アドレス（ＴＬＡ）ＩＥを受信するとき、ＭｅＮＢは、さらに、それらを格納かつ使用して、ダウンリンクデータをＬＩＰＡ／ＳＩＰＴＯ＠ＬＮ−ＣのＰＤＮ接続のためにＳｅＮＢに送るように、並置されたＬＧＷを構成することができる。
【００４０】
一実施形態で、データベアラがオフロードされた後、ＳｅＮＢは、ＭｅＮＢに配置されたＬＧＷを介してそのベアラのためのアップリンクトラフィックを送信するのに、受信されたアップリンクＴＥＩＤおよびＬＧＷ  ＴＬＡ（トランスポート層アドレス）を使用し、ＭｅＮＢと並置されたＬＧＷは、そのベアラのためのダウンリンクトラフィックをＳｅＮＢに送信するのに、受信されたダウンリンクＴＥＩＤおよびＳｅＮＢ  ＴＬＡを使用する。
【００４１】
解決法−２（図４に示す）
一実施形態で、ＭｅＮＢが、ＬＩＰＡ動作（または並置された、ローカルネットワークでのＳＩＰＴＯ）のためのＬＧＷ機能を有するなら、ＭｅＮＢは、ＭｅＮＢがＭＭＥからＥＲＡＢ修正確認を受信した後ＳｅＮＢに送信するＸ２メッセージで使用されなければならないアップリンクＴＥＩＤに加えて、対応するＬＧＷトランスポート層アドレスＩＥを含む。
【００４２】
一実施形態で、このＸ２メッセージは、特に、ＬＩＰＡ／ＳＩＰＴＯ＠ＬＮ−Ｃの目的で送信されてもよく、または、別の理由で送信してもよく、ＬＩＰＡ／ＳＩＰＴＯ＠ＬＮ−Ｃの情報は、その中でピギーバックされる。
【００４３】
一実施形態で、データベアラがオフロードされた後、ＳｅＮＢは、ＭｅＮＢに配置されたＬＧＷを介してそのベアラのためのアップリンクトラフィックを送信するのに、受信されたアップリンクＴＥＩＤおよびＬＧＷ  ＴＬＡを使用し、ＭｅＮＢと並置されたＬＧＷは、そのベアラのためのダウンリンクトラフィックをＳｅＮＢに送信するのに、ＳｅＮＢ追加レスポンスメッセージ内でＭｅＮＢによって受信されたダウンリンクＴＥＩおよびＳｅＮＢ  ＴＬＡを使用する。
【００４４】
本発明の実施形態により、ＬＩＰＡ動作（それぞれ「ＳＩＰＴＯ＠ＬＮ−Ｃ」と略されるローカルネットワークで、並置された動作のＳＩＰＴＯ）に使用されているデータベアラに関連付けられたゲートウェイアドレス指定情報（ＬＧＷ）を、ＭｅＮＢからＳｅＮＢに転送することが可能になる。つまり、ＬＩＰＡ／ＳＩＰＴＯ＠ＬＮ−Ｃの影響下にあるベアラは、同一のＬＧＷがＭｅＮＢに配置された状態でＬＩＰＡ／ＳＩＰＴＯ＠ＬＮ−Ｃ動作を続行しながら、３ＧＰＰ  ＴＲ  ３６．８４２のオプション１Ａでのデュアルコネクティビティで、ＭｅＮＢからＳｅＮＢへオフロードすることができる。これは、ＬＩＰＡ（それぞれＳＩＰＴＯ＠ＬＮ−Ｃ）の概念をいくらか拡張している。なぜなら、通常、ＬＩＰＡ／ＳＩＰＴＯ＠ＬＮ−Ｃは、ＬＧＷがデータベアラと同一のノードに配置された状態で動作されるからである。この発明によって、ＬＩＰＡ／ＳＩＰＴＯ＠ＬＮ−Ｃは、ゲートウェイがまだＭｅＮＢに存在している状態で、ＳｅＮＢにオフロードされたデータベアラで続行する。
【００４５】
そうでなければ（現在のように）、ＬＩＰＡ／ＳＩＰＴＯ＠ＬＮ−Ｃは、そのようなオフロードが行われるたびに（たとえば、小セルでトラフィックをオフロードすることが有用であると考えられるたびに）、中断される（ＵＥに対するＩＰアドレスの損失、したがって、エンドユーザに対するサービスの中断をともなって）。ＵＥの移動性が、ＵＥを扱う小セルの頻繁な変更を意味する場合、このサービスの中断は、サービス品質を著しく低下させうる。
【００４６】
本発明の実施形態は、ＬＩＰＡ／ＳＩＰＴＯ＠ＬＮ−ＣでのベアラがデュアルコネクティビティのためにＭｅＮＢからＳｅＮＢへオフロードされるとき、ＬＩＰＡ／ＳＩＰＴＯ＠ＬＮ−Ｃ動作が、ＬＧＷを再配置する必要性によって「中断」されず、関連付けられたシグナリングが保たれることを可能にする。
【００４７】
同様の機構は、第１のセカンダリｅＮＢ  ＳｅＮＢ１でオフロードされるのに使用されるベアラが、今度は、第２のセカンダリｅＮＢ  ＳｅＮＢ２にオフロードされるときに、使用されることができる。第２のセカンダリｅＮＢ  ＳｅＮＢ２の観点から、および、この第２のセカンダリｅＮＢ  ＳｅＮＢ２とＭｅＮＢの間のシグナリングの観点から、オフロードのシグナリングおよびオフロード後のノードの動きは、ＭｅＮＢからＳｅＮＢへの単純なオフロードの場合と完全に同一である。
【００４８】
本発明の実施形態は、ベアラに関するＬＩＰＡ動作またはローカルネットワークで、並置された動作のＳＩＰＴＯへの影響を最小化しつつ、ベアラトラフィックを小セルにオフロードするのに使用されうる。
【００４９】
一態様で、マスターｅＮＢ（ＭｅＮＢ）がベアラの伝送のためのいかなる無線の機能も扱わないデュアルコネクティビティ動作（たとえば、３ＧＰＰ  ＴＲ  ３６．８４２のオプション１Ａにしたがう）で、Ｅ−ＵＴＲＡＮ用のマスターｅＮＢ（ＭｅＮＢ）などのマスターＲＡＮノードと称されるＲＡＮノードからＥ−ＵＴＲＡＮ用のセカンダリｅＮＢ（ＳｅＮＢ）などのセカンダリＲＡＮノードと称されるＲＡＮノードにベアラをオフロードする方法であって、前記オフロードの前、前記ベアラは、前記マスターＲＡＮノードによって扱われるまたは扱われていており、前記マスターＲＡＮノードと並置されたローカルゲートウェイＬＧＷに関与しており：
−  前記オフロードの後、前記ベアラが、前記セカンダリＲＡＮノードによって扱われ、前記マスターＲＡＮノードと並置された前記ローカルゲートウェイＬＧＷに関与するように規定するステップを含む方法が提供される。
【００５０】
他の態様で、そのような方法および／またはそのような方法の個々のステップを行うエンティティが提供され、前記エンティティは、特に（これらに限定されないが）：Ｅ−ＵＴＲＡＮ用のＥＮＢなどのＲＡＮノード、およびローカルゲートウェイＬＧＷと称されるＰＤＮゲートウェイを含む。
【００５１】
別の態様で、Ｅ−ＵＴＲＡＮ用のマスターｅＮＢ（ＭｅＮＢ）などの、マスターｅＮＢ（ＭｅＮＢ）が前記ベアラの伝送のためのいかなる無線の機能も扱わないデュアルコネクティビティ動作（たとえば、３ＧＰＰ  ＴＲ  ３６．８４２のオプション１Ａにしたがう）のためのマスターＲＡＮノードと称されるＲＡＮノードであって：
−  Ｅ−ＵＴＲＡＮ用のセカンダリｅＮＢ（ＳｅＮＢ）などの、前記デュアルコネクティビティ動作のためのセカンダリＲＡＮノードと称される別のＲＡＮノードに対して、前記マスターＲＡＮノードと並置されたローカルゲートウェイＬＧＷに関与するベアラを前記セカンダリＲＡＮノードにオフロードするために、前記セカンダリＲＡＮノードによってアップリンクトラフィックを前記ＬＧＷへ送ることを可能にする前記ローカルゲートウェイＬＧＷのアドレス指定情報をシグナリングする
ように構成されたＲＡＮノードが提供される。
【００５２】
別の態様で、Ｅ−ＵＴＲＡＮ用のセカンダリｅＮＢ（ＳｅＮＢ）などの、マスターｅＮＢ（ＭｅＮＢ）が前記ベアラの伝送のためのいかなる無線の機能も扱わないデュアルコネクティビティ動作（たとえば、３ＧＰＰ  ＴＲ  ３６．８４２のオプション１Ａにしたがう）のためのセカンダリＲＡＮノードと称されるＲＡＮノードであって：
−  前記マスターＲＡＮノードと並置された前記ローカルゲートウェイＬＧＷに関与するまたは関与したベアラを、前記セカンダリＲＡＮノードにオフロードするために、シグナリングされたアドレス指定情報を、Ｅ−ＵＴＲＡＮ用のマスターｅＮＢ（ＭｅＮＢ）などの、前記デュアルコネクティビティ動作のためのマスターＲＡＮノードと称されるＲＡＮノードによって、使用するように構成されており、前記ＬＧＷの前記アドレス指定情報が前記セカンダリＲＡＮノードによってアップリンクトラフィックを前記ＬＧＷへ送ることを可能にする、
ＲＡＮノードが提供される。
【００５３】
別の態様で、Ｅ−ＵＴＲＡＮ用のマスターｅＮＢ（ＭｅＮＢ）などの、マスターｅＮＢ（ＭｅＮＢ）が前記ベアラの伝送のためのいかなる無線の機能も扱わないデュアルコネクティビティ動作（たとえば、３ＧＰＰ  ＴＲ  ３６．８４２のオプション１Ａにしたがう）のためのマスターＲＡＮノードと称されるＲＡＮノードであって：
−  前記マスターＲＡＮノードと並置されたローカルゲートウェイＬＧＷに関与するベアラを、Ｅ−ＵＴＲＡＮ用のセカンダリｅＮＢ（ＳｅＮＢ）などの、前記デュアルコネクティビティ動作のためのセカンダリＲＡＮノードにオフロードするために、前記ＬＧＷによってダウンリンクトラフィックを前記セカンダリＲＡＮノードへ送ることを可能にする前記セカンダリＲＡＮノードのアドレス指定情報により、前記マスターＲＡＮノードと並置されたローカルゲートウェイＬＧＷを構成するように構成された
ＲＡＮノードが提供される。
【００５４】
別の態様で、Ｅ−ＵＴＲＡＮ用のマスターｅＮＢ（ＭｅＮＢ）などの、マスターｅＮＢ（ＭｅＮＢ）が前記ベアラの伝送のためのいかなる無線の機能も扱わないデュアルコネクティビティ動作デュアルコネクティビティ動作（たとえば、３ＧＰＰ  ＴＲ  ３６．８４２のオプション１Ａにしたがう）のためのマスターＲＡＮノードと称されるＲＡＮノードと並置されたローカルゲートウェイＬＧＷであって：
−  Ｅ−ＵＴＲＡＮ用のセカンダリｅＮＢ（ＳｅＮＢ）などの、前記デュアルコネクティビティ動作のための前記セカンダリＲＡＮノードに、前記マスターＲＡＮノードと並置された前記ローカルゲートウェイＬＧＷに関与するベアラをオフロードするために、前記マスターＲＡＮノードによって構成されたアドレス指定情報を使用するように構成されており、前記セカンダリＲＡＮノードの前記アドレス指定情報が前記ローカルゲートウェイＬＧＷによってダウンリンクトラフィックを前記セカンダリＲＡＮノードへ送ることを可能にする、
ローカルゲートウェイＬＧＷが提供される。
【００５５】
一態様で、Ｅ−ＵＴＲＡＮ用のマスターｅＮＢ（ＭｅＮＢ）などの、デュアルコネクティビティ動作のためのマスターＲＡＮノードと称されるＲＡＮノードであって：
−  Ｅ−ＵＴＲＡＮ用のセカンダリｅＮＢ（ＳｅＮＢ）などの、前記デュアルコネクティビティ動作のためのセカンダリＲＡＮノードと称されるＲＡＮノードに対して、前記マスターＲＡＮノードと並置されたローカルゲートウェイＬＧＷに関与するベアラを前記セカンダリＲＡＮノードにオフロードするために、前記セカンダリＲＡＮノードによってアップリンクトラフィックを前記ＬＧＷへ送ることを可能にする前記ローカルゲートウェイＬＧＷのアドレス指定情報をシグナリングする
ように構成されたＲＡＮノードが提供される。
【００５６】
別の態様で、Ｅ−ＵＴＲＡＮ用のセカンダリｅＮＢ（ＳｅＮＢ）などの、デュアルコネクティビティ動作のためのセカンダリＲＡＮノードと称されるＲＡＮノードであって：
−  前記マスターＲＡＮノードと並置された前記ローカルゲートウェイＬＧＷに関与するベアラを、前記セカンダリＲＡＮノードにオフロードするために、シグナリングされたアドレス指定情報を、Ｅ−ＵＴＲＡＮ用のマスターｅＮＢ（ＭｅＮＢ）などの、前記デュアルコネクティビティ動作のためのマスターＲＡＮノードと称されるＲＡＮノードによって、使用するように構成されており、前記ＬＧＷの前記アドレス指定情報が前記セカンダリＲＡＮノードによってアップリンクトラフィックを前記ＬＧＷへ送ることを可能にする、
ＲＡＮノードが提供される。
【００５７】
一実施形態で、
−  前記アドレス指定情報は、ＬＧＷトランスポート層アドレスおよびアップリンクＴＥＩＤまたはＰＤＮ接続のポート番号を含む。
【００５８】
一実施形態で、
−  前記シグナリングは、前記デュアルコネクティビティ動作に関与する前記マスターＲＡＮノードと前記セカンダリＲＡＮノードの間で、インタフェースで送信されるメッセージに含まれる。
【００５９】
一実施形態で、
−  前記シグナリングは、Ｘ２インタフェースなどのインタフェースを介して、前記ＭｅＮＢによって前記ＳｅＮＢに送信されるＳｅＮＢ追加リクエストメッセージに含まれる。
【００６０】
一実施形態で、
−  前記シグナリングは、前記ＭｅＮＢがＳ１メッセージのＥ−ＲＡＢ修正確認を受信した後、前記ＭｅＮＢによって前記ＳｅＮＢに送信されるＸ２メッセージに含まれる。
【００６１】
別の態様で、Ｅ−ＵＴＲＡＮ用のマスターｅＮＢ（ＭｅＮＢ）などの、デュアルコネクティビティ動作のためのマスターＲＡＮノードと称されるＲＡＮノードであって：
−  前記マスターＲＡＮノードと並置されたローカルゲートウェイＬＧＷに関与するベアラを、Ｅ−ＵＴＲＡＮ用のセカンダリｅＮＢ（ＳｅＮＢ）などの、前記デュアルコネクティビティ動作のためのセカンダリＲＡＮノードにオフロードするために、前記ＬＧＷによってダウンリンクトラフィックを前記セカンダリＲＡＮノードへ送ることを可能にする前記セカンダリＲＡＮノードのアドレス指定情報により、前記マスターＲＡＮノードと並置された前記ローカルゲートウェイＬＧＷを構成するように構成された
ＲＡＮノードが提供される。
【００６２】
一実施形態で、前記ＲＡＮノードは：
−  前記セカンダリＲＡＮノードによって前記マスターＲＡＮノードにシグナリングされた前記アドレス指定情報を受信すると、前記構成を行うように構成されている。
【００６３】
一実施形態で、前記ＲＡＮノードは：
−  前記アドレス指定情報が、セカンダリＲＡＮトランスポート層アドレスおよびＲＡＮダウンリンクＴＥＩＤまたはＰＤＮ接続用のポート番号を含むように構成されている。
【００６４】
一実施形態で、
−  アドレス指定情報は、Ｘ２インタフェースなどのインタフェースを介して、前記ＳｅＮＢによって前記ＭｅＮＢに送信されるＳｅＮＢ追加レスポンスメッセージに含まれる。
【００６５】
一実施形態で、
−  前記ベアラは、ＬＩＰＡ動作中のベアラ、またはローカルネットワークで、並置された動作のＳＩＰＴＯ中のベアラを含む。
【００６６】
別の態様で、Ｅ−ＵＴＲＡＮ用のマスターｅＮＢ（ＭｅＮＢ）などの、デュアルコネクティビティ動作のためのマスターＲＡＮノードと称されるＲＡＮノードと並置されたローカルゲートウェイＬＧＷであって：
−  Ｅ−ＵＴＲＡＮ用のセカンダリｅＮＢ（ＳｅＮＢ）などの、前記デュアルコネクティビティ動作のためのセカンダリＲＡＮノードに、前記マスターＲＡＮノードと並置された前記ローカルゲートウェイＬＧＷに関与するベアラをオフロードするために、前記マスターＲＡＮノードによって構成された前記アドレス指定情報を使用するように構成されており、前記セカンダリＲＡＮノードの前記アドレス指定情報が前記ローカルゲートウェイＬＧＷによってダウンリンクトラフィックを前記セカンダリＲＡＮノードへ送ることを可能にする、
ローカルゲートウェイＬＧＷが提供される。
【００６７】
一実施形態で、
−  前記アドレス指定情報は、セカンダリＲＡＮトランスポート層アドレスおよびＲＡＮダウンリンクＴＥＩＤまたはＰＤＮ接続用のポート番号を含む。
【００６８】
一実施形態で、
−  前記ベアラは、ＬＩＰＡ動作中のベアラ、またはローカルネットワークの並置された動作での、ＳＩＰＴＯのベアラを含む。
【００６９】
別の態様で、デュアルコネクティビティ動作で、Ｅ−ＵＴＲＡＮ用のマスターｅＮＢ（ＭｅＮＢ）などのマスターＲＡＮノードと称されるＲＡＮノードからＥ−ＵＴＲＡＮ用のセカンダリｅＮＢ（ＳｅＮＢ）などのセカンダリＲＡＮノードと称されるＲＡＮノードにベアラをオフロードする方法であって、前記オフロードの前、前記ベアラは、前記マスターＲＡＮノードによって扱われるまたは扱われていており、前記マスターＲＡＮノードと並置されたローカルゲートウェイＬＧＷに関与しており：
−  前記オフロードの後、前記ベアラが、前記セカンダリＲＡＮノードによって扱われ、前記マスターＲＡＮノードと並置された前記ローカルゲートウェイＬＧＷに関与するように規定するステップを含む
方法が提供される。
【００７０】
一実施形態で、前記方法は：
−  前記マスターＲＡＮノードが、前記セカンダリＲＡＮノードによってアップリンクトラフィックを前記ＬＧＷに送るための前記ローカルゲートウェイＬＧＷのアドレス指定情報を、前記セカンダリＲＡＮノードにシグナリングするステップを含む。
【００７１】
一実施形態で、前記方法は：
−  前記セカンダリＲＡＮノードが、アップリンクトラフィックを前記ローカルゲートウェイＬＧＷに送るために、前記マスターＲＡＮノードによってシグナリングされた前記ローカルゲートウェイのアドレス指定情報を使用するステップを含む。
【００７２】
一実施形態で、前記方法は：
−  前記マスターＲＡＮノードが、前記ＬＧＷによってダウンリンクトラフィックを前記セカンダリＲＡＮノードへ送ることを可能にする前記セカンダリＲＡＮノードのアドレス指定情報により前記ＬＧＷを構成するステップを含む。
【００７３】
一実施形態で、前記方法は：
−  前記ＬＧＷが、ダウンリンクトラフィックを前記セカンダリＲＡＮノードに送るために、前記マスターＲＡＮノードによって構成されたアドレス指定情報を使用するステップを含む。
【００７４】
当業者は、さまざまな上記の方法のステップは、プログラムされたコンピュータによって行うことができることを容易に認識できるであろう。ここで、いくつかの実施形態は、たとえば、機械可読またはコンピュータ可読であり、機械実行可能なまたはコンピュータ実行可能な命令のプログラムを符号化する、デジタルデータ記憶媒体であるプログラム記憶装置を包含することも意図している。前記命令は、上記の方法のいくつかのまたは全部のステップを行う。プログラム記憶装置は、たとえば、デジタルメモリ、磁気ディスクおよび磁気テープなどの磁気記憶媒体、ハードドライブ、または光学可読デジタルデータ記憶媒体でありうる。実施形態は、上記の方法のステップを行うようにプログラムされたコンピュータを包含することも意図している。
【図１】
0006441384.tif 000002
【図２】
0006441384.tif 000003
【図３】
0006441384.tif 000004
【図４】
0006441384.tif 000005